(57)【特許請求の範囲】
【請求項１】
貯水タンクの内部に貯水量に応じて上下に移動するフロートを設け、そのフロートに逆Ｕ字形の連結管の一端部を上下方向にスライド自在に圧入し、その連結管の他端部を給水槽の上部に接続し、その給水槽の内部に、上端が開口し、水が溜まると重心が移動する受水容器を設け、その受水容器の空の状態における重心位置を回動自在に支持し、前記連結管の内部に吸水性を有する吸水帯を挿入し、その吸水帯の一端部を貯水タンク内の水に浸し、他端部を前記受水容器の上方に位置させ、植木鉢内に敷設されるチューブの少なくとも一方の端部を前記給水槽の下部に接続し、そのチューブに多数の給水孔を形成し、チューブ内に給水帯を挿入した植木鉢の給水装置。
【発明の詳細な説明】
【０００１】
【産業上の利用分野】
この発明は、植木鉢、盆栽、プランターなどに給水を行う装置に関する。
【０００２】
【従来の技術及び問題点】
一般に、鉢植え植物に給水する際には、じょうろ等により植物の上方から直接水を注ぐ。しかし、この方法では、旅行等のため長期間給水できない場合には土の乾燥が避けられず、また、一度に多量の給水を行うと土や養分が流出したり、根が腐ったりすることがあった。
【０００３】
【発明が解決しようとする課題】
そこで、この発明は、給水時期や給水量の管理が不要な植木鉢の給水装置を提供することを課題とする。
【０００４】
【課題を解決するための手段】
上記の課題を解決するため、この発明は、貯水タンクの内部に貯水量に応じて上下に移動するフロートを設け、そのフロートに逆Ｕ字形の連結管の一端部を上下方向にスライド自在に圧入し、その連結管の他端部を給水槽の上部に接続し、その給水槽の内部に、上端が開口し、水が溜まると重心が移動する受水容器を設け、その受水容器の空の状態における重心位置を回動自在に支持し、前記連結管の内部に吸水性を有する吸水帯を挿入し、その吸水帯の一端部を貯水タンク内の水に浸し、他端部を前記受水容器の上方に位置させ、植木鉢内に敷設されるチューブの少なくとも一方の端部を前記給水槽の下部に接続し、そのチューブに多数の給水孔を形成し、チューブ内に給水帯を挿入したのである。
【０００５】
【作用】
貯水タンクに水を入れると、吸水帯の一方の端部が水に浸り、吸水帯に水が吸い上げられる。吸水帯の他端部は受水容器の上方に位置しているので、吸い上げられた水は受水容器へ滴下する。受水容器に一定量の水が溜まると、受水容器の重心位置が移動して、支持位置のまわりに回転力が作用し、その回転力により受水容器が揺動して、受水容器に溜まった水は給水槽へ放出される。給水槽へ放出された水は給水帯に吸収され、チューブに形成された多数の給水孔を介して、土へ供給される。
【０００６】
給水槽の水がなくなった時点で土への給水は停止され、再び受水容器に一定量の水が溜まり、受水容器が揺動して給水槽に水が放出されると、土への給水が再開される。貯水タンクに水がなくなるまで以上の動作を繰り返す。
【０００７】
また、フロートが貯水量に応じて上下し、吸水帯の水に浸る部分の長さが常に一定となるため、吸水帯の吸水量がほぼ一定に保たれ、常に一定量の水が受水容器に滴下される。従って、一定の周期で土に給水することができる。
【０００８】
さらに、連結管の一端部を前記フロートに対して上下方向にスライドさせると揚水力が変化し、それに伴い受水容器に滴下する単位時間当たりの水量が変化するので、土への給水量を加減することができる。
【０００９】
【実施例】
以下、この発明の実施例を添付図面に基づいて説明する。
【００１０】
図１乃至図３に示すように、植木鉢Ｐの周壁上部には、貯水タンク１及びその下方に位置する給水槽２が設けられており、この給水槽２の内部には上部が開口し、水が溜まると重心が移動する受水容器３が設けられている。受水容器３の両側面には、空の状態における重心位置に軸４が突設されている。一方、給水槽２の周壁内面の対向位置には上下方向に延びる一対の溝５が形成され、各溝５の下端部にはそれぞれ支持片６が設けられている。上記各軸４がそれぞれ上方から溝５に差し込まれ、支持片６上に載置されることにより、受水容器３は揺動可能とされている。
【００１１】
貯水タンク１の上部には雨水の受皿７が被せられ、この受皿７の底壁には受皿７に溜まった雨水を上記貯水タンク１へ滴下させる滴下孔８が形成されている。
【００１２】
上記受皿７に形成された孔９には逆Ｕ字型の連結管１０の一端部が貫通している。貯水タンク１の内部には円筒形のフロート１１が設けられており、このフロート１１の中央部に形成されたガイド孔１１ａに前記連結管１０の一端部が上下方向にスライド自在に圧入され、連結管１０の他端部は貯水タンク１を上下方向に貫通する連結管１２にスライド自在に挿入されている。連結管１２の下端は受水容器３の上方で開口している。連結管１０の内部には吸水性を有する吸水帯１３が挿入され、この吸水帯１３の一端部はフロート１１から下方に突出し、他端部は連結管１２内に位置している。
【００１３】
前記給水槽２の下部には植木鉢Ｐ内に敷設されるチューブ１４の両端部が接続されている。チューブ１４には多数の給水孔１５が形成されている。チューブ１４内には吸水性を有する給水帯１６が挿入され、この給水帯１６の両端部は給水槽２の内部に位置している。
【００１４】
前記吸水帯１３及び給水帯１６は、多孔質の綿織紐やスポンジ等から成る。
【００１５】
上記のような給水装置では、貯水タンク１に水を入れると、吸水帯１３の一端部が水に浸り、吸水帯１３に水が吸い上げられる。吸水帯１３の他端部は受水容器３の上方に位置しているので、吸い上げられた水は受水容器３へ滴下する。受水容器３に一定量の水が溜まると、受水容器３の重心位置が移動して、支持位置のまわりに回転力が作用し、その回転力により受水容器３が揺動して、受水容器３に溜まった水は給水槽２へ放出される。給水槽２へ放出された水は給水帯１６に吸収され、チューブ１４に形成された給水孔１５を介して給水帯１６に接する土へ供給される。
【００１６】
給水槽２の水がなくなった時点で土への給水は停止され、再び受水容器３に一定量の水が溜まり、受水容器３が揺動して給水槽２に水が放出されると、土への給水が再開される。貯水タンク１に水がなくなるまで以上の動作を繰り返す。
【００１７】
また、フロート１１が貯水量に応じて上下し、吸水帯１３の水に浸る部分の長さが常に一定となるため、吸水帯１３の吸水量がほぼ一定に保たれ、常に一定量の水が受水容器３に滴下される。従って、一定の周期で土に給水することができる。
【００１８】
さらに、連結管１０の一端部をガイド孔１１ａの内部で上下方向にスライドさせると吸水帯１３の揚水力が変化し、受水容器３に滴下する単位時間当たりの水量が変化するので、土への給水量を加減することができる。
【００１９】
また、前記貯水タンク１の上部に雨水を受ける受皿７を設けたので、受皿７に溜まった雨水が滴下孔８から貯水タンク１内に落下し、雨水が貯水タンク１に蓄えられるので、貯水タンク１に補水する頻度を低くすることができる。
【００２０】
なお、上記の例ではチューブ１４の両端部を給水槽２に接続しているが、一端部のみを給水槽２に接続するようにしてもよい。
【００２１】
そのほか、図４に示すように、貯水タンク１及び給水槽２を植木鉢Ｐから離して設置してもよく、可撓性を有する連結管１７の一端部をフロート１１の下部に連結し、他端部を受水容器３の上方に位置させ、吸水帯１３に吸い上げられた水が連結管１７を通って受水容器３に供給されるようにしてもよい。
【００２２】
さらに、貯水タンク１内に複数のフロート１１を設け、それぞれのフロート１１に接続された連結管１７を介して各フロート１１に対応する給水槽２に水を供給し、各給水槽２に接続されたチューブ１４により複数の植木鉢Ｐに給水するようにしてもよく、同一の植木鉢Ｐに複数のチューブ１４を敷設し、大きな給水量を得るようにしてもよい。
【００２３】
【効果】
以上のように、この発明によれば、上記のような構成としたので、貯水タンクに水がある限り、適当な周期で一定量ずつ給水され、土の乾燥を防ぐことができ、必要以上に給水されて根腐れ等がおこることもない。
【００２４】
従って、給水時期や給水量の管理が不要になると共に、植物の生育に良好な環境を提供することができる。特に動力を必要としないので、運用コストもかからない。
【００２５】
また、連結管の一端部をフロートに対して上下方向にスライドさせると揚水力が変化し、それに伴い受水容器に滴下する単位時間当たりの水量が変化するので、土への給水量を加減することができる。
【図面の簡単な説明】
【図１】実施例の一部縦断正面図
【図２】同上の平面図
【図３】給水槽の斜視図
【図４】他の実施例の一部縦断正面図
【符号の説明】
１  貯水タンク
２  給水槽
３  受水容器
１０、１２、１７  連結管
１３  吸水帯
１４  チューブ
１５  給水孔
１６  給水帯
【図１】
0003649462.tif 000002
【図２】
0003649462.tif 000003
【図３】
0003649462.tif 000004
【図４】
0003649462.tif 000005